(57)【特許請求の範囲】
【請求項１】
記録媒体を再生する再生手段を備えた再生装置であって、
上記再生手段から再生信号を受けると、ローディングされた記録媒体が、
第１及び第２記録層を有し、これら２層のうち一方にデルタシグマ変調に基づいて生成された１ビット信号が記録された記録媒体であって、
上記１ビット信号はサブコードをスペクトルフラグとして多重化した１ビット信号であると共に、該記録媒体がオリジナルであるか否かを示す情報を上記スペクトルフラグの最高域に多重化されたフラグに割り当てた記録媒体であるか否かを上記最高域フラグの有無に基づいて検出すると共に、ローディングされた記録媒体がＣＤであるか否かを上記再生手段の再生信号に基づいて検出する検出手段を備え、
最高域フラグの有ること、またはＣＤであることが上記検出手段によって検出された場合においてのみ、上記再生手段の出力をデジタルコピー用のデジタル信号として出力することを特徴とする再生装置。
【請求項２】
記録媒体を再生する再生手段を備えた再生装置であって、
上記再生手段から再生信号を受けると、ローディングされた記録媒体が、
第１及び第２記録層を有し、これら２層のうち一方にデルタシグマ変調に基づいて生成された１ビット信号が記録された記録媒体であって、
上記１ビット信号はサブコードをスペクトルフラグとして多重化した１ビット信号であると共に、該記録媒体がオリジナルであるか否かを示す情報を上記スペクトルフラグの最高域に多重化されたフラグに割り当てた記録媒体であるか否かを上記最高域フラグの有無に基づいて検出すると共に、ローディングされた記録媒体がＣＤであるか否かを上記再生手段の再生信号に基づいて検出する検出手段と、
上記再生手段の出力から上記の最高域フラグを除去する除去手段とを備え、
上記除去手段は、最高域フラグの有ることが検出された場合に該最高域フラグを除去して除去後の信号をデジタルコピー用のデジタル信号として出力する一方、ローディングされた記録媒体がＣＤであることが検出された場合に上記再生手段の出力をそのままデジタルコピー用のデジタル信号として出力することを特徴とする再生装置。
【請求項３】
請求項１または２に記載の再生装置と、該再生装置から出力されるデジタルコピー用の上記デジタル信号を記録する記録装置とを備えたことを特徴とする記録再生装置。
【発明の詳細な説明】
【０００１】
【発明の属する技術分野】
本発明は、２層構造を有する次世代記録媒体に対して、複雑なコピー制御を行うことなく、不法な複製版の作成を未然に防止する再生装置及び記録再生装置に関するものである。
【０００２】
【従来の技術】
従来のデジタル再生装置として、例えば、ＣＤ（Conpact Disk）プレーヤ等が広く知られている。このようなデジタル再生装置によってオリジナルディスクから再生されたデジタルオーディオ信号をデジタル記録装置でデジタルコピー（デジタルダビング）する場合、ＳＣＭＳ（Serial Copy Management System ）に基づいて行われる。
【０００３】
上記ＳＣＭＳによれば、再生デジタルオーディオ信号のサブコード中のコピー情報（コピー制御に関するビット列）が復調されて識別され、オリジナルディスクから第１世代の記録媒体へコピーが行われる一方、記録済の該第１世代の記録媒体を複写元として、第２世代の記録媒体を複写先とするようなコピーは行えないようになっている。つまり、オリジナルディスクから第１世代までのコピーのみが行えるようにコピー回数が制限されている。
【０００４】
最近では、上記デジタルコピーに関係して、現行のＣＤよりも、より高音質化、且つ、より広帯域化が可能な、所謂、次世代ＣＤの商品化が行われようとしている。このような次世代ＣＤは、従来のＣＤプレーヤで再生が可能な（互換性を有する）ように、従来のＣＤフォーマットが記録された層と、次世代デジタルオーディオ信号（１ビット信号）の記録された高密度記録層との２層構造を有している。
【０００５】
上記１ビット信号はデルタシグマ変調回路によって生成されるものであり、具体的には、アナログ又はマルチビットで表されるデジタル信号が高速でサンプリングされて１ビット信号に変換されたものである。なお、上記マルチビットで表されるデジタル信号は、サンプリング周波数が異なるＣＤ、ＤＡＴ、ＢＳ等からの信号を意味する。
【０００６】
上記デルタシグマ変調によって得られる１ビットデジタル信号は、例えば、１ビットデジタル信号が音声信号である場合には、簡単な低次のローパスフィルタを用いるだけで、アナログ音声信号に復調可能である。このため、１ビットデジタル信号によれば、復調に複雑な処理回路を設けることが不要となる。
【０００７】
また、１ビットデジタル信号は、語同期が不要な微細に細分化されたデータの流れであるので、伝送路等の影響を受けにくく、したがってエラーに強くなり、エラー訂正回路等を設けることが不要となる。
【０００８】
さらに、従来のマルチビットのデジタル信号によれば、サンプリング周波数やダイナミックレンジ等が一旦規格化されると、その規格を変更することが困難である。
【０００９】
これに対して、典型的なマルチビット符号化方式の一例として、コンパクトディスク等のデジタルオーディオ方式があり、この場合、サンプリング周波数の４４．１ｋＨｚの１／２である２２．０５ｋＨｚが音声信号帯域の上限周波数となり、この上限周波数よりも高い周波数帯域をデータの伝送に利用することはできないので、副信号である左右いずれのチャンネルであるかを識別するためのフラグ等のサブコードが、主信号である音声信号のメインデータとともに、それぞれ時間軸方向に圧縮されて多重化され、伝送または記録再生が行われる。
【００１０】
したがって、送信または記録側では、規格化されたデータフォーマットに上記フラグや音声信号をエンコードする回路が必要となる一方、受信または再生側では、受信または再生されたデータをデコードし、上記メインデータとサブコードとに分離する回路が必要となる。このように、マルチビット符号化方式によれば、フォーマットに対応した信号処理を行う信号処理回路が必要となる。
【００１１】
以上より、近年、マルチビット符号化方式に比べて利点の多い１ビットデジタル符号化方式が注目されている。
【００１２】
【発明が解決しようとする課題】
しかしながら、上記従来のようにＳＣＭＳによってデジタルコピーの制御を行う場合、サブコード中のコピー情報（コピー制御に関するビット列）であるコピービットやカテゴリーコードの操作および識別を行うことが必要となる。
【００１３】
また、サブコードの処理を行うことで不法な複製版を作成することも可能となり、著作権に関わる問題に発展してしまうという問題点を有している。
【００１４】
本発明は、上記従来の問題点に鑑みなされたものであって、その目的は、２層構造を有する次世代記録媒体に対して、複雑なコピー制御を行うことなく、不法な複製版の作成を防止することにある。
【００１５】
【課題を解決するための手段】
（１）本発明が適用される記録媒体は、上記課題を解決するために、同一の記録信号がそれぞれ異なる量子化法あるいは異なるフォーマットに基づいて記録された第１記録層および第２記録層を備えた２層構造を有する記録媒体であって、該記録媒体が２層構造を有することを示す再生制御信号が記録された再生制御信号記録部を備えている。
【００１６】
上記記録媒体によれば、２層構造を有することを示す再生制御信号が記録された再生制御信号記録部（共通のものとして設けられている）が設けられているので、この再生制御信号に基づいて１層構造の記録媒体との間で識別可能となる。この再生制御信号を利用することによって、複雑なコピー制御を行うことなく、不法な複製版の作成が未然に防止される。
【００１７】
（２）本発明が適用される記録媒体は、上記課題を解決するために、上記の記録媒体において、上記再生制御信号記録部は上記記録層毎に設けられ、各記録層に対応する再生制御信号がそれぞれの上記再生制御信号記録部に記録されている。
【００１８】
上記の記録媒体によれば、上記（１）の記録媒体による作用に加えて、記録層毎に再生制御信号が記録された再生制御信号記録部が設けられているので、これらの再生制御信号の読み取りに基づいて、１層構造の記録媒体との間で識別可能となる。これらの再生制御信号を利用することによって、複雑なコピー制御を行うことなく、不法な複製版の作成が未然に防止される。
【００１９】
（３）本発明が適用される記録媒体は、上記課題を解決するために、第１及び第２記録層を有し、これら２層のうち一方にデルタシグマ変調に基づいて生成された１ビット信号が記録された記録媒体において、上記１ビット信号はサブコードをスペクトルフラグとして多重化した１ビット信号であると共に、該記録媒体がオリジナルであるか否かを示す情報を上記スペクトルフラグの最高域に多重化されたフラグに割り当てている。
【００２０】
上記の記録媒体によれば、１層構造の記録媒体との間で識別可能となる。この再生制御信号を利用することによって、複雑なコピー制御を行うことなく、不法な複製版の作成が未然に防止される。
【００２１】
上記のデルタシグマ変調によって得られる１ビットデジタル信号は、例えば、１ビットデジタル信号が音声信号である場合には、簡単な低次のローパスフィルタを用いるだけで、アナログ音声信号に復調可能であり、このため、１ビットデジタル信号によれば、復調（再生）に複雑な処理回路を設けることが不要となる。
【００２２】
また、１ビットデジタル信号は、語同期が不要な微細に細分化されたデータの流れであるので、伝送路等の影響を受けにくく、したがってエラーに強くなり、エラー訂正回路等を設けることが不要となる。
【００２３】
（４）本発明に係る再生装置は、上記課題を解決するために、記録媒体を再生する再生手段を備えた再生装置であって、上記再生手段から再生信号を受けると、ローディングされた記録媒体が、第１及び第２記録層を有し、これら２層のうち一方にデルタシグマ変調に基づいて生成された１ビット信号が記録された記録媒体であって、上記１ビット信号はサブコードをスペクトルフラグとして多重化した１ビット信号であると共に、該記録媒体がオリジナルであるか否かを示す情報を上記スペクトルフラグの最高域に多重化されたフラグに割り当てた記録媒体であるか否かを上記最高域フラグの有無に基づいて検出すると共に、ローディングされた記録媒体がＣＤであるか否かを上記再生手段の再生信号に基づいて検出する検出手段を備え、最高域フラグの有ること、またはＣＤであることが上記検出手段によって検出された場合においてのみ、上記再生手段の出力をデジタルコピー用のデジタル信号として出力することを特徴としている。
【００２４】
上記の発明によれば、上記（３）の記録媒体による作用に加えて、ローディングされた記録媒体は再生手段によって再生される。この再生信号を受けると、検出手段は、ローディングされた記録媒体が（３）に記載の記録媒体であるか否かを上記最高域フラグの有無に基づいて検出すると共に、ローディングされた記録媒体がＣＤであるか否かを上記再生手段の再生信号に基づいて検出する。この検出の結果、最高域フラグの有ることが検出された場合、又はローディングされた記録媒体がＣＤであることが検出された場合においてのみ、ローディングされた記録媒体がオリジナルであると認識され、再生手段の出力がデジタルコピー用のデジタル信号として出力される。
【００２５】
（５）本発明に係る再生装置は、上記課題を解決するために、記録媒体を再生する再生手段を備えた再生装置であって、上記再生手段から再生信号を受けると、ローディングされた記録媒体が、第１及び第２記録層を有し、これら２層のうち一方にデルタシグマ変調に基づいて生成された１ビット信号が記録された記録媒体であって、上記１ビット信号はサブコードをスペクトルフラグとして多重化した１ビット信号であると共に、該記録媒体がオリジナルであるか否かを示す情報を上記スペクトルフラグの最高域に多重化されたフラグに割り当てた記録媒体であるか否かを上記最高域フラグの有無に基づいて検出すると共に、ローディングされた記録媒体がＣＤであるか否かを上記再生手段の再生信号に基づいて検出する検出手段と、上記再生手段の出力から上記の最高域フラグを除去する除去手段とを備え、上記除去手段は、最高域フラグの有ることが検出された場合に該最高域フラグを除去して除去後の信号をデジタルコピー用のデジタル信号として出力する一方、ローディングされた記録媒体がＣＤであることが検出された場合に上記再生手段の出力をそのままデジタルコピー用のデジタル信号として出力することを特徴としている。
【００２６】
上記の発明によれば、上記（３）の記録媒体による作用に加えて、ローディングされた記録媒体は再生手段によって再生される。この再生信号を受けると、検出手段は、ローディングされた記録媒体が（３）に記載の記録媒体であるか否かを上記最高域フラグの有無に基づいて検出すると共に、ローディングされた記録媒体がＣＤであるか否かを上記再生手段の再生信号に基づいて検出する。この検出の結果、最高域フラグの有ることが検出された場合、又はローディングされた記録媒体がＣＤであることが検出された場合においてのみ、ローディングされた記録媒体がオリジナルであると認識され、再生手段の出力がデジタルコピー用のデジタル信号として出力される。なお、最高域フラグの有ることが検出された場合、該最高域フラグが除去手段によって除去され、除去後の信号がデジタルコピー用のデジタル信号として出力される。
【００２７】
（６）本発明に係る記録再生装置は、上記課題を解決するために、上記（４）または（５）に記載の再生装置と、該再生装置から出力されるデジタルコピー用の上記デジタル信号を記録する記録装置とを備えたことを特徴としている。
【００２８】
上記の発明によれば、上記（４）または（５）の再生装置の何れかによる作用に加えて、コピー元がオリジナルである場合のみ、上記再生装置から出力されるデジタルコピー用のデジタル信号が記録装置に記録される。
【００２９】
【発明の実施の形態】
本発明の実施の一形態について図１に基づいて説明すれば、以下の通りである。
【００３０】
本実施の形態で使用されるオリジナルディスク１は、図１に示すように、記録層１ａと記録層１ｂとの２層構造を有している。同一のオリジナル信号が、それぞれ異なる量子化法、或いは異なるフォーマットに基づいて、上記記録層１ａと記録層１ｂとに対して記録されている。量子化法、或いはフォーマットが互いに異なるので、上記記録層１ａは再生装置２によって再生される一方、上記記録層１ｂは再生装置３によって再生されるようになっている。
【００３１】
上記再生装置２及び３は、それぞれ記録層１ａ及び記録層１ｂに対して再生動作を行う再生手段（図示しない）を備えている。
【００３２】
上記オリジナルディスク１には、上記記録層１ａ・１ｂに共通の再生制御信号記録部１ｃが、例えば、記録層１ａ側に設けられている。この再生制御信号記録部１ｃには再生制御信号が記録されており、該再生制御信号に基づいてオリジナルディスク１が上記の２層構造を有しているか否かが識別できるようになっている。上記再生制御信号は、上記再生装置２及び３の双方によって読み取られるようになっている。なお、本発明はこれに限定されるものではなく、再生制御信号記録部１ｃは、記録層１ａ側の代わりに、記録層１ｂ側に設けられた構成でもよい。
【００３３】
上記再生装置２及び３は、それぞれ記録装置４及び５に接続されている。つまり、上記記録装置４は、上記再生装置２のデジタル出力端子（図示しない）を介して送られてきたデジタルコピー用のデジタル信号（上記オリジナル信号に対応する信号）を受けて、上記記録装置４内に既にローディングされたＭＤ（Mini Disk ）等の記録媒体に対して記録（コピー）を行うようになっている。同様に、上記記録装置５は、上記再生装置３のデジタル出力端子（図示しない）を介して送られてきたデジタルコピー用のデジタル信号を受けて、上記記録装置５内に既にローディングされた記録媒体に対して記録（コピー）を行うようになっている。
【００３４】
上記構成によれば、ディスクがローディングされると、上記再生装置２又は３は、上記再生手段を介して再生制御信号記録部１ｃから再生制御信号を読み取り、読み取った再生制御信号に基づいてローディングされたディスクが上記の２層構造を有しているか否かを識別する。なお、ローディングされたディスクが上記の２層構造を有していないものである場合、このようなディスクには上記の再生制御信号が記録されていない。
【００３５】
例えば、ローディングされたディスクが上記オリジナルディスク１（第０世代の記録媒体）の場合、上記再生装置２又は３は、上記再生手段を介してオリジナルディスク１から再生信号を読み取る。上記再生制御信号記録部１ｃに記録された再生制御信号は、上記再生信号中に含まれており、上記再生手段を介して読み取られ、上記再生装置２又は３は、読み取った再生制御信号に基づいてオリジナルディスク１が上記の２層構造を有していることを識別し、デジタルコピー用のデジタル信号を上記デジタル出力端子を介して上記記録装置４又は５へ送る。上記記録装置４又は５は、入力したデジタルコピー用のデジタル信号を上記記録装置４又は５内にローディングされたＭＤ等の記録媒体に記録（コピー）し、第１世代の記録媒体へコピーが完了する。
【００３６】
また、上記再生装置２又は３は、ローディングされたディスクがＣＤである場合も、上記再生手段を介して該ＣＤから再生信号を読み取り、オリジナルディスクであると識別し、上記ＳＣＭＳ（Serial Copy Management System ）に基づいて、デジタルコピー用のデジタル信号を上記デジタル出力端子を介して上記記録装置４又は５へ送る。上記記録装置４又は５は、入力したデジタルコピー用のデジタル信号を上記記録装置４又は５内にローディングされたＭＤ等の記録媒体に記録（コピー）し、第１世代の記録媒体へコピーが完了する。なお、ローディングされた記録媒体が現行のＣＤであるか否かは、現行のＣＤプレーヤと同様に識別可能であるので、その詳細な識別方法、構成については、説明を省略する。
【００３７】
これに対して、ローディングされたディスクが上記オリジナルディスク１でない場合、上記の再生制御信号記録部１ｃを有していないので、上記再生装置２又は３は、上記の再生制御信号を読み取ることができず、従って、ローディングされたディスクが上記の２層構造を有していないと識別する。
【００３８】
すなわち、上記再生装置２又は３は、ローディングされたディスクが既に一度コピーされたディスク（第１世代の記録媒体）、あるいは不法に複製されたディスクであると認識し、デジタルコピー用のデジタル信号を上記デジタル出力端子へ出力しない。それゆえ、オリジナル信号が上記記録装置４又は５によってコピーされることはない。
【００３９】
また、ローディングされたディスクが上記２層構造を有するものでもなく、ＣＤでもない場合、上記再生装置２又は３は、ローディングされたディスクが既に一度コピーされたディスク（第１世代の記録媒体）、あるいは不法に複製されたディスクであると認識し、デジタルコピー用のデジタル信号を上記デジタル出力端子へ出力しない。
【００４０】
デジタルコピー用のデジタル信号を出力しない代わりに、記録装置が記録できないような信号に変換してデジタル出力端子に出力してもよいし、受信側（記録側）でデジタルコピーできないようにする信号を出力してもよい。
【００４１】
以上のように、本実施の形態は、２層構造（記録層１ａ・１ｂ）を有しているか否かを識別する再生制御信号が記録された再生制御信号記録部１ｃを有するオリジナルディスク１、又はＣＤが再生装置２又は３によって再生された場合だけ、再生信号が第１世代の記録媒体へコピーされるようになっている。
【００４２】
それゆえ、ＣＤを除く単層構造の記録媒体が再生装置２又は３によって再生されても、それは一度コピーされた記録媒体、あるいは不法に複製された記録媒体であると認識されるので、上記記録装置４又は５は、不法な複製版を作成することを確実に回避できる。
【００４３】
また、従来のマルチビット符号化方式において必要であった、規格化されたデータフォーマットに上記フラグや音声信号をエンコードする回路（送信側または記録側に設けられる回路）や、受信または再生されたデータをデコードし、上記メインデータとサブコードとに分離する回路（受信側または再生側に設けられる回路）や、フォーマットに対応した信号処理を行う信号処理回路等が不要となり、構成が著しく簡素化でき、小型化、低価格化が可能となる。
【００４４】
ここで、図２を参照しながら、他の実施の形態を以下に説明する。
【００４５】
図２は、同一のオリジナルディスク２１上に同一のオリジナル信号を異なる量子化法、或いは異なるフォーマットによって２層にそれぞれ記録されたオリジナルディスク２１を使用してコピーする場合を示している。
【００４６】
上記のオリジナルディスク２１は、記録層２１ａと記録層２１ｂとの２層構造を有している。同一のオリジナル信号が、異なる量子化法、或いは異なるフォーマットに基づいて、上記記録層２１ａと記録層２１ｂとに対してそれぞれ記録されている。本実施の形態では、上記記録層２１ｂの方が上記記録層２１ａよりも高い記録密度を有している。
【００４７】
上記記録層２１ａ・２１ｂは、再生装置２３によって再生可能である。本実施の形態に係る上記再生装置２３は、更に、ＣＤの再生、及びそのデジタルコピー用のデジタル信号を外部へ出力するようになっている。
【００４８】
上記オリジナルディスク２１には、上記記録層２１ａの再生制御信号（再生制御情報）が記録された再生制御信号記録部２１ｃと、上記記録層２１ｂの再生制御信号（再生制御情報）が記録された再生制御信号記録部２１ｄとが設けられている。上記再生装置２３は、記録装置２５に接続されている。なお、上記再生装置２３は、記録媒体に対して再生動作を行う再生手段（図示しない）を備えている。
【００４９】
上記記録装置２５は、上記再生装置２３のデジタル出力端子（図示しない）を介して送られてきたデジタルコピー用のデジタル信号（上記オリジナル信号に対応する信号）を受けて、上記記録装置２５内に既にローディングされたＭＤ（Mini Disk ）等の記録媒体に対して記録（コピー）を行うようになっている。
【００５０】
上記構成によれば、ディスクがローディングされると、上記再生装置２３は、再生手段を介して再生制御信号を読み取る。この際、上記２つの再生制御信号記録部２１ｃ及び２１ｄの双方から再生制御信号が読み取られた場合、該ディスクはオリジナルディスク２１であると認識され、デジタルコピー用のデジタル信号が上記デジタル出力端子を介して上記記録装置２５へ送られる。上記記録装置２５は、入力したデジタルコピー用のデジタル信号を上記記録装置２５内に既にローディングされたＭＤ等の記録媒体に記録（コピー）し、第１世代の記録媒体へコピーが完了する。
【００５１】
上記は、２つの再生制御信号記録部２１ｃ及び２１ｄの双方から再生制御信号が読み取られたときに、オリジナルディスクであると認識する場合を説明しているが、本発明はこれに限定されるものではなく、精度上の観点から、上記２つの再生制御信号が同一である場合にオリジナルディスクがローディングされていると認識する構成（後述する）が好ましい。
【００５２】
また、上記再生装置２３は、ローディングされたディスクがＣＤである場合も、上記再生手段を介して該ＣＤから再生信号を読み取り、オリジナルディスクであると識別し、上記ＳＣＭＳ（Serial Copy Management System ）に基づいて、デジタルコピー用のデジタル信号を上記デジタル出力端子を介して上記記録装置２５へ送る。上記記録装置２５は、入力したデジタルコピー用のデジタル信号を上記記録装置２５内にローディングされたＭＤ等の記録媒体に記録（コピー）し、第１世代の記録媒体へコピーが完了する。
【００５３】
これに対して、上記２つの再生制御信号記録部２１ｃ及び２１ｄのうち何れか一方のみの再生制御信号が読み取られた場合（２つの再生制御信号が同一である場合にオリジナルディスクがローディングされていると認識する構成においては、双方の再生制御信号が同一でなかった場合）、該ディスクが上記の２層構造を有さず、したがって、一度コピーされたディスクか不法に複製されたディスクであることが上記再生装置２３によって識別され、この場合には、デジタルコピー用のデジタル信号が上記デジタル出力端子へ出力されないか、或いは、記録装置が記録できないような信号に変換されてデジタル出力端子に出力される。それゆえ、オリジナル信号が上記記録装置２５によってコピーされることはない。
【００５４】
また、ローディングされたディスクが上記２層構造を有するものでもなく、ＣＤでもない場合、上記再生装置２３は、ローディングされたディスクが既に一度コピーされたディスク（第１世代の記録媒体）、あるいは不法に複製されたディスクであると認識し、デジタルコピー用のデジタル信号を上記デジタル出力端子へ出力しない。
【００５５】
デジタルコピー用のデジタル信号を出力しない代わりに、記録装置が記録できないような信号に変換してデジタル出力端子に出力してもよいし、受信側（記録側）でデジタルコピーできないようにする信号を出力してもよい。
【００５６】
以上のように、本実施の形態は、記録層２１ａ及び２１ｂの双方からそれぞれ再生制御信号が読み取られた場合（２つの再生制御信号が同一である場合にオリジナルディスクがローディングされていると認識する構成においては、双方の再生制御信号が同一であった場合）、またはローディングされた記録媒体がＣＤであると認識した場合だけ、ローディングされた記録媒体がオリジナルディスクであることが再生装置２３によって認識されて再生信号が第１世代の記録媒体へコピーされることを特徴としている。それゆえ、何れか一方の再生制御信号のみが読み取られた場合（２つの再生制御信号が同一である場合にオリジナルディスクがローディングされていると認識する構成においては、双方の再生制御信号が同一でなかった場合）には、ローディングされたディスクは、一度コピーされた記録媒体、あるいは不法に複製された記録媒体であると認識されるので、記録装置２５は不法な複製版を作成することを確実に回避できる。
【００５７】
また、従来のマルチビット符号化方式において必要であった、規格化されたデータフォーマットに上記フラグや音声信号をエンコードする回路（送信側または記録側に設けられる回路）や、受信または再生されたデータをデコードし、上記メインデータとサブコードとに分離する回路（受信側または再生側に設けられる回路）や、フォーマットに対応した信号処理を行う信号処理回路等が不要となり、構成が著しく簡素化でき、小型化、低価格化が可能となる。
【００５８】
以上のように、図２は、同一のオリジナル信号が、異なる量子化法、或いは異なるフォーマットに基づいて、上記記録層２１ａと記録層２１ｂとに対してそれぞれ記録され、且つ、上記記録層２１ｂの方が上記記録層２１ａよりも高い記録密度を有する場合に、上記２つの再生制御信号記録部２１ｃ及び２１ｄの双方から再生制御信号が読み取られた場合、該ディスクはオリジナルディスク２１であると認識することも開示している。本発明は、これに限定されるものではなく、例えば、前述の次のような構成でもよい。
【００５９】
すなわち、高い記録密度を有する上記記録層２１ｂと、低い記録密度を有する上記記録層２１ａとが、それぞれ再生制御情報を有しているとする。この場合、ディスクが上記再生装置２３にローディングされ、上記再生手段によって両再生制御信号記録部２１ｃ及び２１ｄから再生制御情報が読み取られ、これら読み取られた２つの再生制御情報が互いに同じ内容であることが上記再生装置２３によって確認された場合、該ローディングされたディスクをオリジナルディスクであると認識する構成でもよい。
【００６０】
上記構成によれば、上記２つの再生制御信号記録部２１ｃ及び２１ｄの双方の再生制御情報が同一内容である場合、該ディスクはオリジナルディスクであると認識され、デジタルコピー用のデジタル信号が上記デジタル出力端子を介して上記記録装置２５へ送られる。上記記録装置２５は、入力したデジタルコピー用のデジタル信号を上記記録装置２５内に既にローディングされたＭＤ等の記録媒体に記録（コピー）し、第１世代の記録媒体へコピーが完了する。
【００６１】
これに対して、上記２つの再生制御信号記録部２１ｃ及び２１ｄの双方の再生制御情報が同一内容でない場合、一度コピーされたディスクか不法に複製されたディスクがローディングされたことが上記再生装置２３によって識別される。この場合には、デジタルコピー用のデジタル信号が上記デジタル出力端子へ出力されないか、或いは、記録装置が記録できないような信号に変換されてデジタル出力端子に出力される。それゆえ、オリジナル信号が上記記録装置２５によってコピーされることはない。
【００６２】
つまり、記録層２１ａ及び２１ｂの双方からの再生制御信号が互いに同一内容である場合だけ、オリジナルディスクであることが上記再生装置２３によって認識されて再生信号が第１世代の記録媒体へコピーされるので、上記双方からの再生制御信号が互いに同一内容でない場合には、ローディングされたディスクは、一度コピーされた記録媒体、あるいは不法に複製された記録媒体であると認識されるので、記録装置２５は不法な複製版を作成することを確実に回避できる。
【００６３】
また、従来のマルチビット符号化方式において必要であった、規格化されたデータフォーマットに上記フラグや音声信号をエンコードする回路（送信側または記録側に設けられる回路）や、受信または再生されたデータをデコードし、上記メインデータとサブコードとに分離する回路（受信側または再生側に設けられる回路）や、フォーマットに対応した信号処理を行う信号処理回路等が不要となり、構成が著しく簡素化でき、小型化、低価格化が可能となる。
【００６４】
以上のように、記録媒体が単なる２層構造を有する場合であっても、層毎に、再生制御情報を備え、これら２つの再生制御情報の内容の同一性を判断することによって、ローディングされた記録媒体がオリジナルか否かを判断することが可能となる。
【００６５】
ここで、本発明に係る更に他の実施の形態を図３を参照しながら、以下に説明する。
【００６６】
本実施の形態では、現行のＣＤフォーマットを記録した層（低密度記録層）と、１ビット信号を記録した高密度記録層（何れも図示しない）との２層構造を有する記録媒体（オリジナルディスク３１）を使用した場合について説明する。
【００６７】
上記高密度記録層に記録する１ビット信号は、本件出願人の先の出願（特願平８−３４３７４６号）に示したように、サブコードをスペクトルフラグとして多重化した１ビット信号とする。そして、そのスペクトルフラグの最高域フラグをコピー情報あるいはソース情報として割り当てる。
【００６８】
つまり、上記１ビット信号は、デルタシグマ変調によって得られ、主信号の所定ダイナミックレンジを確保することができる有効周波数帯域の例えば数倍程度に設定される上限周波数以上の周波数帯域であっても、量子化ノイズフロアまでの狭いダイナミックレンジに対応した低ビットレートの副信号であれば、復調のために必要な所定のＳ／Ｎを充分に確保できる。これは、量子化ノイズフロアは周波数が高くなるにつれて緩やかに上昇するので、音声信号帯域以上で、広くノイズ低減帯域を確保することができ、この帯域は微小ビットのデータに関しては充分に復号可能なＳ／Ｎを有することになるからである。この帯域を利用し、サブコード（副信号）を周波数分割により多重化してデルタシグマ変調を行い、１ビットデジタルが生成される。
【００６９】
そこで、上限周波数以上の所定周波数において、その周波数でのダイナミックレンジに対応した情報量の副信号を周波数分割多重化で重畳すると、再生装置などの復調側では、バンドパスフィルタなどによって上記副信号を分離して、その副信号に対応した復調処理を行えばよく、従来のように時分割多重化を行う場合必要であった構成が不要となり、信号処理のための回路を簡素化できる。
【００７０】
本実施の形態では、上記のようにサブコードをスペクトルフラグとして多重化した１ビット信号とする。そして、そのスペクトルフラグのうち最高域に多重化されたフラグ（最高域フラグ）をコピー情報あるいはソース情報として割り当てた。上記の最高域フラグの有無は、再生装置にローディングされたディスクが２層構造の上記記録媒体であるか否かに対応している。つまり、最高域フラグが有る場合には、ローディングされたディスクが上記２層構造のオリジナルディスクであることを意味し、最高域フラグが無い場合には、ローディングされたディスクが上記２層構造の記録媒体ではないか、あるいはＣＤであることを意味する。
【００７１】
上記は、１ビット信号の最高域フラグの有無に基づいて、ローディングされたディスクが上記２層構造の記録媒体であるか否かを識別する構成について説明しているが、１ビット信号を記録した高密度記録層に当該ディスクが２層構造を有するオリジナルディスクであることを示す再生制御信号が記録され、該再生制御信号に基づいてオリジナルディスクか否かを識別する構成でもよい。また、該再生制御信号と、上記の最高域フラグとの双方が上記の高密度記録層に記録された信頼性の高い構成でもよい。
【００７２】
ここで、上記高密度記録層に記録された信号を再生し、再生された１ビットデジタル信号を出力し、デジタルダビングを行う場合について説明する。
【００７３】
本実施の形態の再生装置は、図３に示すように、主として、ローディングされたディスクに対して読み取り動作を行う信号読取部３２（再生手段）と、読み取られた信号（再生信号）からスペクトルフラグを読み取り、最高域フラグの有無に応じて、或いはローディングされたディスクがＣＤであるか否かに応じて、切替制御信号を出力するスペクトルフラグ読取部３３と、上記信号読取部３２によって読み取られた信号の低周波数領域の信号のみを通過させるローパスフィルタ（ＬＰＦ）３４と、上記信号読取部３２が上記低密度記録層または上記高密度記録層の何れに対して再生を行っているかによって、上記信号読取部３２の出力をそのままデジタル信号として出力するか、或いは上記ローパスフィルタ３４の出力をデジタル信号として出力するかを切り換えるスイッチ３６と、上記切替制御信号に基づいて上記スイッチ３６の出力をデジタル出力するか、或いはグランドレベルを出力するかを切り換えるスイッチ３５とを備えている。
【００７４】
上記のスペクトルフラグ読取部３３は、例えば、最高域フラグ有りの場合にはハイレベルを、最高域フラグ無しの場合にはローレベルを上記切替制御信号として上記スイッチ３５へ送る。上記スイッチ３６は、上記信号読取部３２が上記低密度記録層を再生している場合には接点３６ｃと接点３６ｂとが電気的に接続され、上記信号読取部３２の出力が接点３５ａ及び３５ｃを介してそのままデジタル信号として出力される一方、上記信号読取部３２が上記高密度記録層を再生している場合には接点３６ｃと接点３６ａとが電気的に接続され、上記ローパスフィルタ３４の出力が接点３５ａ及び３５ｃを介してデジタル信号として出力される。上記スイッチ３５は、ハイレベルの信号を受けると、接点３５ｃと接点３５ａとが電気的に接続されて上記スイッチ３６の出力がデジタル出力される一方、ローレベルの信号を受けると、接点３５ｃと接点３５ｂとが電気的に接続されてグランドレベルがデジタル出力される。上記ローパスフィルタ３４は、１ビットデジタル信号の場合に、上記信号読取部３２によって読み取られた信号のうち、高周波数領域の最高域フラグを除去する。したがって、上記ローパスフィルタ３４の出力は、最高域フラグを含んでいない。
【００７５】
上記構成によれば、図３に示すように、上記高密度記録層に記録された１ビットデジタル信号は信号読取部３２によって再生され、再生信号はスペクトルフラグ読取部３３とローパスフィルタ３４とへ送られる。上記スペクトルフラグ読取部３３では、バンドパスフィルタ（図示しない）などによってスペクトルフラグが分離されて読み取られると共に、読み取られたスペクトルフラグの最高域フラグの有無が認識され、有りの場合にはハイレベルの切替制御信号がスイッチ３５へ送られる一方、無しの場合にはローレベルの切替制御信号がスイッチ３５へ送られる。
【００７６】
上記高密度記録層を再生中であり且つ最高域フラグが有る場合は、上記接点３６ａと上記接点３６ｃとが電気的に接続されると共に上記接点３５ｃと上記接点３５ａとが電気的に接続されるので、上記ローパスフィルタ３４の出力がデジタルコピー用の１ビットデジタル信号として、デジタル出力端子（図示しない）を介して記録装置（図示しない）へ送られる。この記録装置では、入力したデジタルコピー用の１ビットデジタル信号が、予めローディングされたＭＤ等の記録媒体にコピーされる。
【００７７】
また、ローディングされたディスクがＣＤである場合、上記低密度記録層が再生されているので、上記スイッチ３６の接点３６ｃと接点３６ｂとが電気的に接続されると共に上記スイッチ３５の接点３５ｃと接点３５ａとが電気的に接続される。これにより、上記信号読取部３２（再生手段）を介して該ＣＤから再生信号が読み取られ、オリジナルディスクであると識別され、上記ＳＣＭＳ（Serial Copy Management System ）に基づいて、デジタルコピー用のデジタル信号がそのまま上記デジタル出力端子を介して外部へ出力される。該デジタルコピー用のデジタル信号を受信する側（例えば、ＭＤ等の記録媒体がローディングされた記録装置）では、入力したデジタルコピー用のデジタル信号をその内部にローディングしたＭＤ等の記録媒体に記録（コピー）し、第１世代の記録媒体へコピーが完了する。
【００７８】
これに対して、最高域フラグがない場合、または、ローディングされた記録媒体がＣＤでない場合、上記接点３５ｃと接点３５ｂとが電気的に接続されるので、グランドレベルが上記デジタル出力端子を介して上記記録装置へ送られる。図３では、最高域フラグがない場合に、グランドレベルが上記デジタル出力端子を介して上記記録装置へ送られる例について示されているが、本発明はこれに限定されるものではなく、上述の実施の形態のように、デジタルコピー用の１ビットデジタル信号がデジタル出力端子（図示しない）へ出力されないようにしてもよいし、記録装置が記録できないような信号に変換してデジタル出力端子に出力してもよい、或いは、受信側（記録側）でデジタルコピーできないようにする信号を出力してもよい。
【００７９】
以上のように、本実施の形態によれば、第１世代の記録媒体から第２世代の記録媒体へのデジタルコピーが行われることがない。
【００８０】
最高域フラグが有る場合、デジタルコピー用の１ビットデジタル信号をデジタル出力し、出力された１ビットデジタル信号を記録装置によってデジタルコピーを行うが、デジタルコピーされた１ビットデジタル信号は最高域フラグが除去されている。しかし、最高域フラグは、可聴帯域よりもかなり高い周波数値に存在するものであるので、可聴帯域よりも高い帯域が除去されても、アナログ信号を再生する際なんら問題ない。勿論、上記ローパスフィルタ３４を設けずに（最高域フラグが含まれたままになる）、直接デジタル信号として出力してもよい。この場合でも、最高域フラグは、可聴帯域よりもかなり高い周波数値に存在するものであるので、再生する際に実質的な影響はない。
【００８１】
これに対して、ＣＤがローディングされた以外の場合であって最高域フラグが無い場合、オリジナルディスクからコピーされた第１世代の記録媒体であると認識され、デジタルコピー用のデジタル信号が出力端子へ出力されない。
【００８２】
それゆえ、第１世代の記録媒体が再生されても、それは一度コピーされた記録媒体、あるいは不法に複製された記録媒体であると認識されるので、記録装置が不法な複製版を作成することを確実に回避できる。
【００８３】
また、従来のマルチビット符号化方式において必要であった、規格化されたデータフォーマットに上記フラグや音声信号をエンコードする回路（送信側または記録側に設けられる回路）や、受信または再生されたデータをデコードし、上記メインデータとサブコードとに分離する回路（受信側または再生側に設けられる回路）や、フォーマットに対応した信号処理を行う信号処理回路等が不要となり、構成が著しく簡素化でき、小型化、低価格化が可能となる。
【００８４】
以上は、再生装置と記録装置とがそれぞれ別々に設けられた場合を説明したが、本発明はこれに限定されるものではなく、再生装置と記録装置とが一体化された記録再生装置であってもよい。
【００８５】
また、以上は、再生装置が、所謂、次世代記録媒体と現行のＣＤとの両方を再生できる場合について説明したが、本発明はこれに限定されるものではなく、次世代記録媒体専用の再生装置であってもよい。
【００８６】
なお、本発明は、上記の実施の形態に限定されるものではなく、本発明の範囲内で種々の変更が可能である。
【００８７】
【発明の効果】
（１）本発明に適用される記録媒体は、以上のように、記録媒体が２層構造を有することを示す再生制御信号が記録された再生制御信号記録部を備えた構成を有している。
【００８８】
それゆえ、２層構造を有することを示す再生制御信号が記録された再生制御信号記録部を設けるという簡単な構成で、１層構造の記録媒体との間で識別可能となる。この再生制御信号を利用することによって、複雑なコピー制御を行うことなく、不法な複製版の作成が未然に防止できるという効果を併せて奏する。
【００８９】
（２）本発明に適用される記録媒体は、以上のように、上記の記録媒体において、上記再生制御信号記録部は上記記録層毎に設けられ、各記録層に対応する再生制御信号がそれぞれの上記再生制御信号記録部に記録されている構成を有している。
【００９０】
それゆえ、上記の記録媒体の効果と同様に、２層構造を有することを示す再生制御信号が記録された再生制御信号記録部を設けるという簡単な構成で、１層構造の記録媒体との間で識別可能となる。この再生制御信号を利用することによって、複雑なコピー制御を行うことなく、不法な複製版の作成が未然に防止できるという効果を併せて奏する。
【００９１】
（３）本発明に適用される記録媒体は、以上のように、１ビット信号はサブコードをスペクトルフラグとして多重化した１ビット信号であると共に、該記録媒体がオリジナルであるか否かを示す情報を上記スペクトルフラグの最高域に多重化されたフラグに割り当てる構成を有している。
【００９２】
それゆえ、１層構造の記録媒体との間で識別可能となる。この再生制御信号を利用することによって、複雑なコピー制御を行うことなく、不法な複製版の作成が未然に防止できる。
【００９３】
また、上記デルタシグマ変調によって得られる１ビットデジタル信号は、例えば、１ビットデジタル信号が音声信号である場合には、簡単な低次のローパスフィルタを用いるだけで、アナログ音声信号に復調可能であり、このため、１ビットデジタル信号によれば、復調（再生）に複雑な処理回路を設けることが不要となる。
【００９４】
また、１ビットデジタル信号は、語同期が不要な微細に細分化されたデータの流れであるので、伝送路等の影響を受けにくく、したがってエラーに強くなり、エラー訂正回路等を設けることが不要となるという効果を併せて奏する。
【００９５】
（４）本発明に係る再生装置は、以上のように、上記再生手段から再生信号を受けると、ローディングされた記録媒体が（３）に記載の記録媒体であるか否かを上記最高域フラグの有無に基づいて検出すると共に、ローディングされた記録媒体がＣＤであるか否かを上記再生手段の再生信号に基づいて検出する検出手段を備え、最高域フラグの有ること、またはＣＤであることが上記検出手段によって検出された場合においてのみ、上記再生手段の出力をデジタルコピー用のデジタル信号として出力する構成を有している。
【００９６】
それゆえ、上記（３）の記録媒体による効果に加えて、現行のＣＤの再生、及びデジタルコピー用のデジタル信号の出力を行うことができる。特に、上記（３）の記録媒体をローディングする場合、従来のようにＳＣＭＳによってデジタルコピーの制御を行う場合に必要な、サブコード中のコピー情報（コピー制御に関するビット列）であるコピービットやカテゴリーコードの操作および識別を行うことが不要となる。また、サブコードの処理を行っても不法な複製版を作成することは不可能であり、著作権に関わる問題に発展することを確実に回避できるという効果を併せて奏する。
【００９７】
（５）本発明に係る再生装置は、以上のように、再生手段から再生信号を受けると、ローディングされた記録媒体が（３）に記載の記録媒体であるか否かを上記最高域フラグの有無に基づいて検出すると共に、ローディングされた記録媒体がＣＤであるか否かを上記再生手段の再生信号に基づいて検出する検出手段と、上記再生手段の出力から上記の最高域フラグを除去する除去手段とを備え、上記除去手段は、最高域フラグの有ることが検出された場合に該最高域フラグを除去して除去後の信号をデジタルコピー用のデジタル信号として出力する一方、ローディングされた記録媒体がＣＤであることが検出された場合に上記再生手段の出力をそのままデジタルコピー用のデジタル信号として出力する構成を有している。
【００９８】
それゆえ、上記（３）の記録媒体による効果に加えて、現行のＣＤの再生、及びデジタルコピー用のデジタル信号の出力を行うことができる。特に、上記（３）の記録媒体をローディングする場合、再生信号に最高域フラグが含まれないようにすることができると共に、従来のようにＳＣＭＳによってデジタルコピーの制御を行う場合に必要な、サブコード中のコピー情報（コピー制御に関するビット列）であるコピービットやカテゴリーコードの操作および識別を行うことが不要となる。また、サブコードの処理を行っても不法な複製版を作成することは不可能であり、著作権に関わる問題に発展することを確実に回避できるという効果を併せて奏する。
【００９９】
（６）本発明に係る記録再生装置は、以上のように、上記（４）または（５）に記載の再生装置と、該再生装置から出力されるデジタルコピー用の上記デジタル信号を記録する記録装置とを備えた構成を有している。
【０１００】
それゆえ、上記（４）または（５）の再生装置の何れかによる効果に加えて、オリジナルから第１世代の記録媒体へのデジタルコピーのみを行い、不法に複製版が作成されることを確実に防止できるという効果を併せて奏する。
【図面の簡単な説明】
【図１】  本発明に適用する記録媒体、及び該記録媒体のデジタルコピーをとるための構成を説明する説明図である。
【図２】  本発明に適用する記録媒体の他の記録媒体、及び該記録媒体のデジタルコピーをとるための構成を説明する説明図である。
【図３】  本発明に適用する記録媒体の更に他の記録媒体、及び該記録媒体のデジタルコピーをとるための構成を説明する説明図である。
【符号の説明】
１    オリジナルディスク（記録媒体）
１ａ    記録層
１ｂ    記録層
１ｃ    再生制御信号記録部
２    再生装置
３    再生装置
４    記録装置
５    記録装置
２１    オリジナルディスク（記録媒体）
２１ａ  記録層
２１ｂ  記録層
２１ｃ  再生制御信号記録部
２１ｄ  再生制御信号記録部
２３    再生装置
２５    記録装置
３１    オリジナルディスク（記録媒体）
３２    信号読取部（再生手段）
３３    スペクトルフラグ読取部（検出手段）
３４    ローパスフィルタ（除去手段）
３５    スイッチ
【図１】
0003652494.tif 000002
【図２】
0003652494.tif 000003
【図３】
0003652494.tif 000004